(57)【要約】【課題】まつげをカールしてパーマをかける際に、作業がやり易く熟練を要することがなく、また、瞼に接着した補助具を取り外すために顧客に苦痛を与えることがなく、パーマ液が瞼に付着して顧客が肌荒れを起こさないようにする。【解決手段】まつげＭにパーマをかけてカールさせるためのまつげパーマ用の補助具Ａにおいて、上瞼から眉毛付近まで顔面の一部を覆うような面積を有する幅広のカバー１と、当該カバー１の下縁部分１ａに設けられたロッド２とからなり、上記ロッド２はまつげＭのラインに沿う曲率をもって形成され、ロッド２の曲面に添わせてまつげを接着した後、まつげにパーマ液を塗布してまつげにパーマをかけるとする。【選択図】        図１
2004329587.tif 000002
【特許請求の範囲】
【請求項１】
まつげＭにパーマをかけてカールさせるためのまつげパーマ用の補助具Ａにおいて、上瞼から眉毛付近まで顔面の一部を覆うような面積を有する幅広のカバー１と、当該カバー１の下縁部分１ａに設けられたロッド２とからなり、上記ロッド２はまつげＭのラインに沿う曲率をもって形成され、ロッド２の曲面に添わせてまつげＭを接着した後、まつげＭにパーマ液Ｙを塗布してまつげＭにパーマかけることを特徴とするまつげパーマ用の補助具
【請求項２】
まつげにパーマをかけてカールさせるためのまつげパーマ用の補助具において、まつげに沿って丸みを帯びた部分を形成するとともに、上瞼の上方に向けて伸びる曲面を形成したことを特徴とするまつげパーマ用の補助具
【請求項３】
まつげにパーマをかけてカールさせるためのまつげパーマ用の補助具において、まつげに沿って丸みを帯びた部分を形成するとともに、上瞼の上方に向かって眉毛の上まで伸びる曲面を形成したことを特徴とするまつげパーマ用の補助具
【請求項４】
まつげにパーマをかけてカールさせるためのまつげパーマ用の補助具において、まつげに沿って丸みを帯びた部分を形成するとともに、上瞼の上方に向けて伸びる曲面に額への接合部を形成したことを特徴とするまつげパーマ用の補助具
【請求項５】
まつげにパーマをかけてカールさせるためのまつげパーマ用の補助具を用いたまつげパーマ方法において、まつげ接着材を塗布したまつげパーマ用の補助具を上まつげに沿って固定し、補助具の曲面に添わせてまつげを接着した後、まつげにパーマ液を塗布してまつげにパーマをかけるようにしたことを特徴とするまつげパーマ用の補助具を用いたまつげパーマ方法
【請求項６】
まつげにパーマをかけてカールさせるためのまつげパーマ用の補助具を用いたまつげパーマ方法において、まつげ接着材を塗布したまつげパーマ用の補助具をまつげに沿って固定し、補助具の曲面に添わせてまつげを接着した後、まつげの先端側をカバーで覆ってからまつげにパーマ液を塗布してまつげにパーマをかけるようにしたことを特徴とするまつげパーマ用の補助具を用いたまつげパーマ方法
【発明の詳細な説明】
【０００１】
【発明の属する技術分野】
本発明は、上まつげ、すなわち、まつげにパーマをかけてカールさせるためのまつげパーマ用の補助具および該補助具を用いたまつげパーマ方法に関する。
【０００２】
【従来の技術】
従来から、目元を美しく見せるための化粧方法として、上まつげ、すなわち、まつげにカールを施す方法が用いられ、そのための道具や方法が提案され、まつげにパーマをかけることもその一つである。
【０００３】
そのための道具として、まつげに沿って形状を自由自在に変形できるロッドの提案があり、また、まつげに沿った薄幅のまつげカール部材に持ち手をつけた補助具の提案がある（たとえば、特許文献１参照）。
【０００４】
それゆえ、この提案によれば、まつげのすぐ上の瞼に接着したり、持ち手を抑えつつまつげをカールしてパーマをかけたりすることが可能になる。
【０００５】
【特許文献１】
実用新案登録第３０８８６９０号公報（図４，図６，図７，図８，段落０００７）
【０００６】
【発明が解決しようとする課題】
しかしながら、上記した補助具を用いた方法は、瞼に直接補助具を貼り付ける作業がやり難く、狭い部分に正確に貼り付けるには熟練を要するだけでなく、瞼に接着材を直接塗布するので顧客がかゆみを感じたり、しみたり、ただれを起こし、さらに瞼に接着した補助具を取り外すために顧客に苦痛を与えたり、パーマ液が瞼に付着すると顧客が肌荒れを起こしたりするという多くの課題がある。
【０００７】
本発明は、まつげをカールしてパーマをかける際に、作業がやり易く熟練を要することがなく、また、瞼に接着した補助具を取り外すために顧客に苦痛を与えることがなく、さらには、パーマ液が瞼に付着して顧客が肌荒れを起こすようなこともないようにしたまつげパーマ用の補助具および該補助具を用いたまつげパーマ方法を提供することを目的とする。
【０００８】
【課題を解決するための手段】
上記課題を解決するため、請求項１の発明は、まつげパーマ用補助具が、まつげにパーマをかけてカールさせるためのまつげパーマ用の補助具において、上瞼から眉毛付近まで顔面の一部を覆うような面積を有する幅広のカバーと、当該カバーの下縁部分に設けられたロッドとからなり、上記ロッドはまつげのラインに沿う曲率をもって形成され、ロッドの曲面に添わせてまつげを接着した後、まつげにパーマ液を塗布してまつげにパーマかけること可能にするとする。
【０００９】
そして、請求項２の発明は、上まつげにパーマをかけてカールさせるためのまつげパーマ用の補助具において、上まつげに沿って丸みを帯びた部分を形成するとともに、上瞼の上方に向けて伸びる曲面を形成するとする。
【００１０】
また、請求項３の発明は、上まつげにパーマをかけてカールさせるためのまつげパーマ用の補助具において、上まつげに沿って丸みを帯びた部分を形成するとともに、上瞼の上方に向かって眉毛の上まで伸びる曲面を形成するとする。
【００１１】
さらに、請求項４の発明は、上まつげにパーマをかけてカールさせるためのまつげパーマ用の補助具において、上まつげに沿って丸みを帯びた部分を形成するとともに、上瞼の上方に向けて伸びる曲面に額への接合部を形成するとする。
【００１２】
そしてまた、請求項５の発明は、上まつげにパーマをかけてカールさせるためのまつげパーマ用の補助具を用いたまつげパーマ方法において、まつげ接着材を塗布したまつげパーマ用の補助具を上まつげに沿って固定し、補助具の曲面に添わせてまつげを接着した後、まつげにパーマ液を塗布してまつげにパーマをかけるとする。
【００１３】
そしてさらに、請求項６の発明は、上まつげにパーマをかけてカールさせるためのまつげパーマ用の補助具を用いたまつげパーマ方法において、まつげ接着材を塗布したまつげパーマ用の補助具を上まつげに沿って固定し、補助具の曲面に添わせてまつげを接着した後、まつげの先端側をカバーで覆ってからまつげにパーマ液を塗布してまつげにパーマをかけるとする。
【００１４】
【発明の実施の形態】
以下、本発明の一実施の形態について、図面を参照して詳細に説明するが、図１に示すように、本発明は、上まつげたるまつげＭにパーマをかけてカールさせるためのまつげパーマ用の補助具Ａであって、上瞼から眉毛付近まで顔面の一部を覆うような面積を有する幅広のカバー１と、当該カバー１の下縁部分１ａに設けられたロッド２とからなり、上記ロッド２はまつげＭのラインに沿う曲率をもって形成され、ロッド２の曲面に添わせてまつげＭを接着した後、まつげＭにパーマ液Ｙを塗布してまつげＭにパーマかけることを特徴とするものである。
【００１５】
即ち、眉毛の上までの全体を覆うような面積を有するカバー１の下縁部分１ａには、まつげＭのラインに沿う曲率を持った丸棒状のロッド２が接合されて、まつげパーマ用の補助具Ａを構成している。
【００１６】
図２は、接合前の各部品の状態を示すものであり、カバー１にロッド２が接着される様子を示している。カバー１とロッド２とは一体に成形しても良い。
【００１７】
つぎに、このようなまつげパーマ用の補助具Ａを用いた、まつげパーマ方法について、以下図面を参照して詳細に説明する。
【００１８】
図３において、まつげパーマ用の補助具Ａのロッド２を顧客の目が閉じられた状態で、まつげＭのラインに合わせて眉毛の上の部分に、接着テープＴによって取り付ける。
【００１９】
この場合にロッド２の上部には、まつげＭを一時的に接着しておくための接着材Ｓが予め塗布されているが、接着テープＴによって補助具Ａを取り付けた後に、接着材Ｓを塗布するようにしても良く、この状態が図４に示されている。
【００２０】
つぎに、この接着材ＳにまつげＭを貼り付けて、一時的にロッド２の曲面に倣って、カール状態に保持する作業が行われ、この状態が図５に示されている。
【００２１】
続いて、まつげＭの先端部分をパーマ液Ｙの薬品から保護するために、保護部材Ｐ、例えば、ティッシュペーパーやラップ用紙等によって、まつげＭの先端部分（図６において上端部分）をカバーする作業が行われ、この状態が図６に示される。
【００２２】
つぎに、まつげＭがロッド２に巻き付いている部分に、パーマ液Ｙを塗布する作業が行われ、この状態が図７に示される。
【００２３】
この状態でパーマ液Ｙによって、まつげＭがカール状態にパーマがかかるまで保持される。
【００２４】
そして、その時間が経過すれば顧客が目を閉じたままの状態で、パーマ液Ｙおよびまつげ接着材Ｓを水で洗い流すことができる。
【００２５】
パーマ液Ｙおよびまつげ接着材Ｓが水できれいに洗い流されるとまつげＭは、ロッド２の曲面に倣ってカール状態のままに固定され、まつげＭにパーマがかけられたことになる。
【００２６】
そして、顧客の額に取り付けられているテープＴを剥がして、まつげパーマ用の補助具Ａを取り外した状態、つまりパーマの仕上がり状態が図８に示されている。
【００２７】
図１および図２のロッド２には、丸棒状のものを示しているが、図９に示すように、正方形，長方形等の母材２ａと母材２ａに上方に連なるガイド２ｂからなるロッド２で構成しても同様に実施可能であり、図９（Ａ）は、その斜視図であって、図９（Ｂ）は、図９（Ａ）のＡ―Ａ断面を示すが、母材２ａの角部分を曲面に形成しておくのが、まつげＭを美しくカールさせる上で好ましい。
【００２８】
また、図９（Ｃ）のように、ロッド２をカバー１の下縁１ａから、さらに下方向にずらして取り付けるようにしても実施可能である。
【００２９】
さらに、図１０（Ａ）に示すように、断面半月状の母材２ａを備えたロッド２をカバー１の下縁１ａに合わせて、あるいは、図１０（Ｂ）のようにさらに下方向にずらして取り付けるようにしても実施可能である。
【００３０】
図１１（Ａ）は、図１の断面を示すものであるが、図１１（Ｂ）のようにカバー１の下縁１ａから、さらに下方向にずらして取り付けるようにしても実施可能である。
【００３１】
なお、上記実施形態において、上瞼から眉毛の上までの全体を覆うような面積を有するカバー１の下縁部分１ａには、曲率を持った棒状の部材２が接合されている具体例を示したが、これらをプラスチック材料などで一体成形されるようにすることもでき、アクリルなどの透明な材料で成形すれば、美容作業が効率よく行えるようになる。
【００３２】
また、まつげＭのラインに合わせて曲率を変えられるように形状記憶合金のような材料を使用すると、各顧客個人のまつげＭの特徴にあわせて微細な美容作業が可能になる。
【００３３】
さらに、本発明は、上記実施形態に限定されるものではなく、本発明の技術的思想の範囲内で、適宜変更して実施することができるものである。
【００３４】
【発明の効果】
以上のように、請求項１および請求項２の発明によれば、まつげに沿ってロッド等の丸みを帯びた部分を形成するとともに、上瞼の上方に向けて伸びるカバー等の曲面を形成して、まつげパーマ用の補助具が構成されるから、上方に向けて伸びるカバー等の部分を手に持って作業が行え、まつげのラインに合わせ易く、作業がやり易くなり熟練を必要としないで、補助具を取り付けることが出来るようになるとともに、まつげ接着材やパーマ液が上まぶたに付着しないため、顧客にかゆみ、かぶれなどの不都合を生じさせることがない。
【００３５】
そして、請求項３の発明によれば、まつげパーマ用の補助具が上瞼の上方に向かって、眉毛の上まで伸びる曲面を形成して構成されるから、補助具を手に持ってまつげのラインに合わせて取り付けるのが容易になり、仕事がやり易くなり能率を向上させることが可能になる。
【００３６】
また、請求項４の発明によれば、まつげパーマ用の補助具が上瞼の上方に向けて伸びる曲面に額への接合部を形成して構成しているから、テープを使って額に容易に貼り付けることができ、仕事の能率を向上させることが可能になる。
【００３７】
さらに、請求項５の発明によれば、まつげ接着材を塗布したまつげパーマ用の補助具を上まつげに沿って固定し、補助具の曲面に添わせてまつげを接着した後、まつげにパーマ液を塗布してまつげにパーマをかけるようにしたから、上方に向けて伸びる部分を手に持って作業が行え、まつげのラインに合わせ易く、作業がやり易くなり熟練を必要としないで、補助具を取り付けることが出来るようになるとともに、まつげ接着材やパーマ液が上まぶたに付着しないため、顧客にかゆみ、かぶれなどの不都合を生じさせることがない。
【００３８】
そしてまた、請求項６の発明によれば、まつげ接着材を塗布したまつげパーマ用の補助具を上まつげに沿って固定し、補助具の曲面に添わせてまつげを接着した後、まつげの先端側をカバーで覆ってからまつげにパーマ液を塗布してまつげにパーマをかけるようにしたから、まつげの先端部分を保護出来て綺麗なパーマの仕上がり状態に出来るようになる。
【００３９】
その結果、この発明によれば、まつげをカールしてパーマをかける際に、作業がやり易く熟練を要することがなく、また、瞼に接着した補助具を取り外すために顧客に苦痛を与えることがなく、パーマ液が瞼に付着して顧客が肌荒れを起こさないようにすることが可能になる。
【図面の簡単な説明】
【図１】本発明の一実施の形態を示すまつげパーマ用の補助具の鳥瞰図である。
【図２】本発明によるまつげパーマ用の補助具を示す分解構成図である。
【図３】本発明によるまつげパーマ用の補助具を用いたまつげパーマ方法の説明図である。
【図４】本発明によるまつげパーマ用の補助具を用いたまつげパーマ方法におけるまつげ接着材の塗布の説明図である。
【図５】本発明によるまつげパーマ用の補助具を用いたまつげパーマ方法におけるまつげ接着の説明図である。
【図６】本発明によるまつげパーマ用の補助具を用いたまつげパーマ方法におけるまつげカバーの取り付けの説明図である。
【図７】本発明によるまつげパーマ用の補助具を用いたまつげパーマ方法におけるパーマ液の塗布の説明図である。
【図８】本発明によるまつげパーマ用の補助具を用いたまつげパーマ方法によってまつげにパーマがかけられた状態の説明図である。
【図９】本発明の第二の実施形態によるまつげパーマ用の補助具を示す斜視図である。
【図１０】本発明の第三の実施形態によるまつげパーマ用の補助具を示す断面図である。
【図１１】本発明の第一の実施形態によるまつげパーマ用の補助具を示す断面図である。
【符号の説明】
１  カバー
１ａ  下縁部分
２  ロッド
Ａ  補助具
Ｍ  まつげ
Ｐ  保護部材
Ｓ  接着材
Ｔ  テープ
Ｙ  パーマ液
【図１】
2004329587.tif 000003
【図２】
2004329587.tif 000004
【図３】
2004329587.tif 000005
【図４】
2004329587.tif 000006
【図５】
2004329587.tif 000007
【図６】
2004329587.tif 000008
【図７】
2004329587.tif 000009
【図８】
2004329587.tif 000010
【図９】
2004329587.tif 000011
【図１０】
2004329587.tif 000012
【図１１】
2004329587.tif 000013